(57)【要約】アクセス可能性アプリケーションの動作を改善する様々な技術及び技法が開示される。複数のアクセス可能性プログラムからユーザー・モードで呼び出されることができるグラフィックス・パイプが提供される。要求がアクセス可能性アプリケーションから受信され、グラフィックス・パイプにアクセスする接続が確立される。アクセス可能性アプリケーションは、関心のある特定のコンテンツに関してグラフィックス・パイプを聴取し、そのコンテンツに基づいてモデルを構築する。モデルは、コンテンツをエンド・ユーザーに適切に配信するために使用される。コンテンツの少なくとも一部分上で画面取り込みを行い、次いで、別の面上にレンダリングすることができる。
2009519542.tif 000002
【特許請求の範囲】
【請求項１】
コンピュータに、
複数のアクセス可能性アプリケーションから呼び出されるように動作可能なグラフィックス・パイプ（２１）を提供するステップと、
要求を第１アクセス可能性アプリケーションから受信して、前記グラフィックス・パイプにアクセスするステップ（２４２）と、
前記第１アクセス可能性アプリケーションと前記グラフィックス・パイプとの間の接続を確立するステップ（２４２）と、
前記グラフィックス・パイプから前記第１アクセス可能性アプリケーションにコンテンツを提供するステップ（２４６）と
を実行させるためのコンピュータ実行可能命令を有するコンピュータ可読媒体。
【請求項２】
前記第１アクセス可能性アプリケーションと同じ期間の少なくとも一部分の期間に要求を第２アクセス可能性アプリケーションから受信して前記グラフィックス・パイプにアクセスするステップ（２５４）と、
前記第２アクセス可能性アプリケーションと前記グラフィックス・パイプとの間の接続を確立するステップ（２４２）と、
前記グラフィックス・パイプから前記第２アクセス可能性アプリケーションにコンテンツを提供するステップ（２４６）と
を更に含む、請求項１に記載のコンピュータ可読媒体。
【請求項３】
前記グラフィックス・パイプは、前記第１アクセス可能性アプリケーションと前記接続が確立された後に、動作中の各アプリケーションと通信し、動作中の各アプリケーションに再描画するように指示する（２４４）、請求項１に記載のコンピュータ可読媒体。
【請求項４】
前記グラフィックス・パイプは、ユーザー・モードで呼び出されるように動作可能である（２４２）、請求項１に記載のコンピュータ可読媒体。
【請求項５】
前記グラフィックス・パイプは、非同期で呼び出されるように動作可能である（２１６）、請求項１に記載のコンピュータ可読媒体。
【請求項６】
前記アクセス可能性アプリケーションは、画面読み取り装置、ブレール式点字表示装置及び拡大器からなるグループ（１１１）から選択された少なくとも１つの出力装置と通信するように動作可能である、請求項１に記載のコンピュータ可読媒体。
【請求項７】
コンテンツを提供する前記ステップは、支援技術が特定の時点に前記グラフィックス・パイプに接続されているかどうかを示すクライアント状態フラグを提供するステップ（２４６）を更に含む、請求項１に記載のコンピュータ可読媒体。
【請求項８】
コンテンツを提供する前記ステップは、ビットマップ・フォーマットでオフスクリーン・コンテンツを提供するステップ（２４６）を更に含む、請求項１に記載のコンピュータ可読媒体。
【請求項９】
コンピュータに、
アクセス可能性アプリケーションからグラフィックス・パイプへの接続を開くステップ（２６２）と、
前記アクセス可能性アプリケーションから、前記グラフィックス・パイプから受信された１組のコンテンツを聴取し、前記コンテンツの少なくとも一部分上で１組の画面取り込みを行うステップ（２６４）と、
前記画面取り込みの少なくとも一部を別の面に描画するステップ（２６６）と、
前記アクセス可能性アプリケーションと前記グラフィックス・パイプとの間の接続を閉じるステップ（２６８）と
を実行させるためのコンピュータ実行可能命令を有するコンピュータ可読媒体。
【請求項１０】
前記画面取り込みは視覚支援のための別の面に描画される（２６６）、請求項９に記載のコンピュータ可読媒体。
【請求項１１】
前記画面取り込みはファイルに書き込まれる（２６６）、請求項９に記載のコンピュータ可読媒体。
【請求項１２】
アクセス可能性グラフィックス・パイプを使用するための方法であって、
前記画面取り込みは、練習ビデオでの使用のためにファイルに書き込まれる（２６６）、請求項１１に記載のコンピュータ可読媒体。
【請求項１３】
ユーザー・モードでグラフィックス・パイプとアクセス可能性アプリケーションとの間の接続を開くステップ（２４２）と、
前記アクセス可能性アプリケーションから、関連情報に関して前記グラフィックス・パイプを聴取するステップ（２４８）と、
前記アクセス可能性アプリケーションから、前記情報の少なくとも一部でオフスクリーン・モデルを構築するステップ（２５０）と
を含む方法。
【請求項１４】
前記オフスクリーン・モデルは、話された音声を出力するために使用される（２７６）、請求項１３に記載の方法。
【請求項１５】
前記オフスクリーン・モデルは、触覚フィードバックを出力するために使用される（２７６）、請求項１３に記載の方法。
【請求項１６】
前記オフスクリーン・モデルは、触覚フィードバックを出力するために使用される（２７６）、請求項１３に記載の方法。
【請求項１７】
前記アクセス可能性アプリケーションは画面読み取り装置である（２７４）、請求項１３に記載の方法。
【請求項１８】
前記アクセス可能性アプリケーションはブレール式点字提供器である（２７２）、請求項１３に記載の方法。
【請求項１９】
前記アクセス可能性アプリケーションは拡大器である（３０２）、請求項１３に記載の方法。
【請求項２０】
コンピュータに請求項１３に記載のステップを実行させるためのコンピュータ実行可能命令を有する（２００）コンピュータ可読媒体。
【発明の詳細な説明】
【背景技術】
【０００１】
支援技術は、ソフトウェア・アプリケーション又はオペレーティング・システムを、損なわれた可動性、視覚、聴覚などの様々な身体障害を有する個人にとってアクセス可能にするソフトウェア又はハードウェア製品である。支援技術の例には、拡大器、画面読み取り装置、ブレール式点字表示装置などがある。これらの製品は、動作するためにオペレーティング・システム全体にわたって様々なデータ傍受技法を使用する。一般に、支援技術は、表示装置ドライバ・インターフェース（ＤＤＩ）レベルで図形要素機能呼び出しを傍受し、オフスクリーン・モデルを構築するためにオペレーティング・システム・カーネル状態を使用する。そのような技法は、しばしばシステムの不安定性及びクラッシュを引き起こす。
【発明の開示】
【発明が解決しようとする課題】
【０００２】
アクセス可能性アプリケーションの動作を改善する様々な技術及び技法が開示される。
【課題を解決するための手段】
【０００３】
複数のアクセス可能性プログラムからユーザー・モードで同時に及び／又は別々に呼び出されることができるグラフィックス・パイプが提供される。グラフィックス・パイプにアクセスするために、要求がアクセス可能性アプリケーションから受信され、接続が確立される。アクセス可能性アプリケーションは、関心のある特定のコンテンツに関してグラフィックス・パイプを聴取し、そのコンテンツに基づいてモデルを構築する。モデルは、アクセス可能性アプリケーション内のコンテンツをエンド・ユーザーに適切に配信するために使用される。コンテンツの少なくとも一部分において画面取り込みが実行され、次いで、別の面上でレンダリングされることができる。
【０００４】
本概要は、以下に詳細な説明で更に詳しく説明される概念の抜粋を簡略化された形で導入するために提供された。本概要は、特許請求される主題の主要な特徴又は本質的な特徴を識別することを意図するものではなく、特許請求される主題の範囲を決定する補助として使用されることを意図するものでもない。
【発明を実施するための最良の形態】
【０００５】
本発明の原理の理解を促進するために、図面に例示された実施の形態が参照され、これを説明するために特定の言葉が使用される。しかし、理解されるとおり、それによって範囲の限定を意図するものではない。説明された実施の形態の任意の改変形態及び更なる変更形態、ならびに本明細書に記載の原理の任意の更なる利用形態は、当業者には普通に想起されると考えられる。
【０００６】
システムは、アクセス可能性アプリケーション及びそれらの関連支援技術（例えば画面読み取り装置、画面拡大器及びブレール式点字表示装置など）の動作を改善するアプリケーションとして一般的な文脈で説明されることができる。本明細書に記載の１つ又は複数の技術は、グラフィックス・パイプ・アプリケーションの中の特徴として、あるいはアクセス可能性シナリオを容易にする他の任意の形式のプログラム又はサービスからの特徴として、実施されることができる。本明細書で更に詳しく説明するように、本システムの一つの実現形態では、同時に複数のアクセス可能性プログラムからユーザー・モードで呼び出されることができるグラフィックス・パイプが提供される。他の実現形態では、アクセス可能性アプリケーションは、関心のある特定のコンテンツに関してグラフィックス・パイプを聴取し、そのコンテンツに基づいてモデルを構築する。このモデルは、アクセス可能性アプリケーション内のコンテンツを適切にエンド・ユーザーに配信するために使用される。
【０００７】
図１に示されるように、グラフィックス・パイプ・システム２０は、グラフィックス・パイプ２１及びアクセス可能性アプリケーション２２、２４及び２６を含む。グラフィックス・パイプ２１は、アクセス可能性アプリケーション２２、２４及び／又は２６が図形要素（例えば、ジオメトリ・コール、テキスト・コール）１８、及び／又はカスタム・オーナー描画制御１９に関連する情報を傍受することができるようにする。グラフィックス・パイプ２１は、アクセス可能性のシナリオにおいてコンテンツをレンダリングする（及び、適切ならば、コンテンツを変更する）際にモデル化され使用されることができるグラフィック表示情報を検索するよう、アクセス可能性アプリケーションのためのセントラル・ロケーションとして機能する。一つの実施の形態では、グラフィックス・パイプ２１を介しての接続は、カーネル・モードにおいてではなくユーザー・モードにおいて行われ、それによって一層信頼できる動作環境が提供される。
【０００８】
一つの実現形態においては、アクセス可能性アプリケーション２２は、通信経路２８を介して読出し専用ユーザー・モードでグラフィックス・パイプ２１に結合され、画面読み取り装置３４として機能する。アクセス可能性アプリケーション２４は、通信経路３０を介して読出し及び／又は更新ユーザー・モードでグラフィックス・パイプ２１に結合され、画面拡大器３６として機能する。同様に、アクセス可能性アプリケーション２６は、通信経路３２を介して読出し専用ユーザー・モードでグラフィックス・パイプ２１に結合され、ブレール式点字表示装置として機能する。一つの実現形態では、画面読み取り装置及びブレール式点字表示装置は、グラフィックス・パイプ２１のコンテンツを改変する必要がないので、それらのグラフィックス・パイプ２１へのそれぞれの接続は読出し専用である。他の多数のアクセス可能性アプリケーション及び支援技術を、図１に示されているものの代わりに又はそれらに加えて使用することができる。
【０００９】
図２に示すように、システム２０の１つ又は複数の部分を実装するために使用すべき例示的なコンピュータ・システムは、コンピューティング装置１００などのコンピューティング装置を含む。その最も基本的な構成では、コンピューティング装置１００は、通常、少なくとも１つの処理ユニット１０２及びメモリ１０４を含む。コンピューティング装置の正確な構成及びタイプに応じて、メモリ１０４は、揮発性（ＲＡＭなど）、不揮発性（ＲＯＭ、フラッシュ・メモリなど）、又はこれら２つの何らかの組合せであり得る。この最も基本的な構成は、図２で破線１０６によって示されている。
【００１０】
更に、装置１００は追加の特徴／機能を有する。例えば、装置１００は、例えば磁気又は光ディスク又はテープを含む追加の（取り外し可能及び／又は取り外し不可能な）記憶装置を含む。そのような追加の記憶装置は、取り外し可能な記憶装置１０８及び取り外し不可能な記憶装置１１０によって図２に例示されている。コンピュータ記憶媒体は、コンピュータ可読命令、データ構造、プログラム・モジュール又は他のデータなどの情報の記憶のために任意の方法又は技術で実装される揮発性及び不揮発性の、取り外し可能な及び取り外し不可能な媒体を含む。メモリ１０４、取り外し可能な記憶装置１０８及び取り外し不可能な記憶装置１１０は、全てコンピュータ記憶媒体の例である。コンピュータ記憶媒体は、ＲＡＭ、ＲＯＭ、ＥＥＰＲＯＭ、フラッシュ・メモリ又は他のメモリ技術、ＣＤ−ＲＯＭ、ディジタル多用途ディスク（ＤＶＤ）又は他の光記憶装置、磁気カセット、磁気テープ、磁気ディスク記憶装置又は他の磁気記憶装置、あるいは所望の情報を記憶するために使用されることができ、装置１００によってアクセスされることができる他の任意の媒体を含むが、それらに限定されない。任意のそのようなコンピュータ記憶媒体は、装置１００の一部分であり得る。
【００１１】
コンピューティング装置１００は、該装置が他の装置と通信することができるようにする１つ又は複数の通信インターフェース１１４を含む。例えば、通信インターフェース１１４は、適用可能な場合は、コンピューティング装置１００が他の１つ又は複数のコンピュータ及び／又はアプリケーション１１５と通信することができるようにする。通信インターフェースの例は、シリアル・ポート、ユニバーサル・シリアル・バス（ＵＳＢ）ポート、パラレル・ポート、無線通信アダプタ、ネットワーク・アダプタなどである。通信インターフェース１１４は、外部装置と通信媒体などの情報を交換するためにコンピュータ１００によって使用される。通信媒体のいくつかの例は、コンピュータ可読命令、データ構造、プログラム・モジュール、あるいは搬送波又は他のトランスポート機構などの変調データ信号内の他のデータであり、任意の情報配信媒体を含む。用語「変調データ信号」は、情報を信号に符号化するような仕方で設定又は変更された１つ又は複数の特徴を有する信号を意味する。例として、しかし限定としてではなく、通信媒体は、有線ネットワーク又は直接有線接続などの有線媒体や、音響、ＲＦ、赤外線及び他の無線媒体などの無線媒体を含む。本明細書で使用されるコンピュータ可読媒体という用語は、記憶媒体と通信媒体とを含む。
【００１２】
装置１００はまた、キーボード、マウス、ペン、音声入力装置、タッチ入力装置などの入力装置１１２を備え得る。また、表示装置、画面読み取り装置、ブレール式点字表示装置、拡大器、スピーカ、プリンタなどの出力装置１１１が含まれ得る。これらの装置は当技術分野では周知であり、本明細書では詳細に論じられる必要がない。
【００１３】
ここで、図２を参照し続けながら図３を参照すると、コンピューティング装置１００上で動作するアクセス可能性グラフィックス・パイプ・アプリケーション２００が例示されている。一つの実現形態では、アクセス可能性グラフィックス・パイプ・アプリケーション２００は、マイクロソフト（登録商標）ウィンドウズ（登録商標）又はリナックスなどの、システム・メモリ１０４上の常駐オペレーティング・システムの一部分として含まれる。他の実現形態では、アクセス可能性グラフィックス・パイプ・アプリケーション２００は、コンピューティング装置１００上に常駐するアプリケーション・プログラムの１つである。代替として又は追加として、アクセス可能性グラフィックス・パイプ・アプリケーションの１つ又は複数の部分は、コンピュータ及び／又はアプリケーション１１５の一部分であっても、コンピュータ・ソフトウェア技術分野において生じるような他の変形形態であってもよい。
【００１４】
アクセス可能性グラフィックス・パイプ・アプリケーション２００は、本明細書に記載の技術のいくつか又は全てを実行することに責任を担うビジネス・ロジック２０４を含む。ビジネス・ロジックは、アクセス可能性アプリケーションによるグラフィックス・パイプに対する読出し及び／又は更新を可能にするためのロジック２０６と、レガシー・コンテンツ要素をサポートするためのロジック２０８と、制御ウィンドウのハンドルでパイプ内のコンテンツにタグを付けるためのロジック２１０と、オフスクリーン・コンテンツをビットマップとして利用可能にするためのロジック２１２と、１つ又は複数の支援技術がグラフィックス・パイプに接続されているという表示を提供するためのロジック２１４と、複数のクライアントがパイプに同時に及び／又は非同期でアクセスすることができるようにするためのロジック２１６と、オーナー描画制御がグラフィックス・パイプを介してアクセスされることができるようにするためのロジック２１８と、グラフィックス・パイプへの新規クライアントの接続時にアプリケーションに再描画させるためのロジック２２０と、アクセス可能性グラフィックス・パイプ・アプリケーション２００を動作させるための他のロジック２２２とを含む。
【００１５】
一つの実現形態では、アクセス可能性グラフィックス・パイプ・アプリケーション２００はコンピューティング装置１００上に常駐する。理解されるように、グラフィックス・パイプ・アプリケーション２００のビジネス・ロジック２０４は、代替として又は追加として、１つ又は複数のコンピュータ上のコンピュータ実行可能命令として、及び／又は、図２及び３で示されているのとは異なる変形形態で、実施されることができる。１つの非限定的な例として、ビジネス・ロジック２０４の１つ又は複数の部分は、代替として又は追加として、必要なときに呼び出される外部コンピュータ上に常駐するサービスとして実装されることもできる。
【００１６】
次に、図１〜３を参照し続けながら図４〜７を参照すると、アクセス可能性グラフィックス・パイプ・アプリケーション２００の１つ又は複数の実現形態を実施するための諸段階が更に詳しく記述されている。理解されるとおり、これらの段階のいくつかを、全てを又はより少ない段階を実行することができ、それらを図４〜７に記述されているのと異なる様々な順序で実行することができる。図４は、アクセス可能性グラフィックス・パイプ２００の一つの実現形態の高レベル・プロセスの流れ図である。一形態では、図４のプロセスは、コンピューティング装置１００の動作ロジックで少なくとも部分的に実行され、ビジネス・ロジック２０４の一部分として実行される。
【００１７】
プロセスは開始点２４０で開始し、アクセス可能性アプリケーションがユーザー・モードでグラフィックス・パイプへの接続を開く（段階２４２）。一つの実現形態では、アクセス可能性アプリケーションが接続したとき、グラフィックス・パイプは全てのアプリケーションに再描画するように指示する（段階２４４）ので、全てのアプリケーションは最新のコンテンツを有することになる。グラフィックス・パイプはコンテンツを提供し（段階２４６）、アクセス可能性アプリケーションはそのコンテンツに関してパイプを聴取する（段階２４８）。コンテンツは支援技術が接続されているかいないかを示すクライアント状態フラグを含むことができ（段階２４６）、及び／又は、コンテンツはビットマップでレンダリングされるオフスクリーン・コンテンツを含むことができる（段階２４６）。アクセス可能性アプリケーションは、パイプの少なくとも一部分を使用するようにモデルを構築する（段階２５０）。アクセス可能性アプリケーションは、終了したときグラフィックス・パイプへの接続を閉じる（段階２５２）。諸段階は、グラフィックス・パイプにアクセスするアクセス可能性アプリケーション（２２、２４及び／又は２６のうちの１つ又は複数）ごとに繰り返され、これは同時であっても別々であってもよい（段階２５４）。次いで、プロセスは終了点２５６で終了する。
【００１８】
次に図５を参照すると、図１のシステムの一つの実現形態のためのプロセス流れ図が、グラフィックス・パイプ上で画面取り込みを実行し、別の面に対して画面取り込みを描画することに関与する諸段階を例示している。一形態では、図５のプロセスはコンピューティング装置１００の動作ロジックで少なくとも部分的に実行される。プロセスは開始点２６０で開始し、アクセス可能性アプリケーションはユーザー・モードでグラフィックス・パイプへの接続を開く（段階２６２）。アクセス可能性アプリケーションはグラフィックス・パイプを聴取し、コンテンツの少なくとも一部分上で画面取り込みを行う（段階２６４）。次いで、アクセス可能性アプリケーションは画面取り込みの少なくとも幾つかを別の面に対して、例えば、視覚支援及び／又は練習のためのファイル又はビデオに対して描画する（段階２６６）。次いで、アクセス可能性アプリケーションはグラフィックス・パイプへの接続を閉じる（段階２６８）。次いで、プロセスは終了点２６９で終了する。
【００１９】
ここで図６を参照すると、図１のシステムの一つの実現形態のためのプロセスの流れ図が、グラフィックス・パイプにアクセスしてコンテンツ・モデルを構築する画面読み取り装置又はブレール式点字表示装置に関与する諸段階を例示している。一形態では、図６のプロセスは、コンピューティング装置１００の動作ロジックで少なくとも部分的に実行される。プロセスは開始点２７０で開始し、画面読み取り装置又はブレール式点字表示装置のクライアント・アプリケーションが、例えば読出し専用方式でグラフィックス・パイプへの接続を開く（段階２７２）。画面読み取り装置又はブレール式点字表示装置のクライアント・アプリケーションは、関連情報に関してグラフィックス・パイプを聴取する（段階２７４）。画面読み取り装置又はブレール式点字表示装置は、オフスクリーン・モデルを構築し、これらのモデルを使用して、話された音声又は触覚フィードバックを出力する（段階２７６）。画面読み取り装置又はブレール式点字表示装置のクライアント・アプリケーションはグラフィックス・パイプへの接続を閉じる（段階２７８）。次いでプロセスは終了点２８０で終了する。
【００２０】
次に図７を参照すると、図１のシステムの一つの実現形態のためのプロセスの流れ図が、グラフィックス・パイプにアクセスしてコンテンツ・モデルを構築する拡大器に関与する諸段階を例示している。一形態では、図７のプロセスは、コンピューティング装置１００の動作ロジックで少なくとも部分的に実行される。プロセスは開始点３００で開始し、拡大アプリケーションが例えば読出し専用及び／又は更新モードでグラフィックス・パイプへの接続を開く（段階３０２）。拡大アプリケーションは、関連情報に関してグラフィックス・パイプを聴取する（段階３０４）。拡大アプリケーションは、適用可能であれば、拡大されたコンテンツからクライアント・ウィンドウを除去する（段階３０６）。
【００２１】
代替として又は追加として、拡大アプリケーションは、要素及び／又は面などの、グラフィックス・パイプから取得するコンテンツを再スケーリングする（段階３０８）。適用可能であれば、任意の事前構成フィルタリングが行われる（段階３１０）。拡大アプリケーションは画像を構成し、拡大されたデータをレンダリングする（段階３１２）。適用可能であれば、事後構成されたフィルタリングが拡大アプリケーションによって行われる（段階３１４）。終了したとき、拡大アプリケーションはグラフィックス・パイプへの接続を閉じる（段階３１６）。次いでプロセスは終了点３１８で終了する。
【００２２】
本主題は、構造的特徴及び／又は方法的行為に特定の言葉で記述されてきたが、理解されるとおり、添付の特許請求の範囲に規定されている本主題は、必ずしも前述の特定の特徴又は行為に限定されるものではない。むしろ、前述の特定の特徴及び行為は、請求項を実施する例示的形態として開示される。本明細書及び／又は添付の特許請求の範囲に記載の実現形態の趣旨の範囲に入る全ての均等物、変更及び修正の保護が望まれている。
【００２３】
例えば、コンピュータ・ソフトウェア分野の当業者は理解するように、本明細書で論じられた実例で説明されたクライアント及び／又はサーバ構成、ユーザ・インターフェース、画面コンテンツ、及び／又はデータ・レイアウトは、より少ない又は追加の選択肢又は特徴を含むように、１つ又は複数のコンピュータ上で、実例において描写されたのとは異なる仕方で編成されることもできる。
【図面の簡単な説明】
【００２４】
【図１】グラフィックス・パイプ・システムの部分の概略図である。
【図２】図１のシステムの一つの実現形態のコンピュータ・システムの概略図である。
【図３】図２のコンピュータ・システム上で動作するアクセス可能性グラフィックス・パイプ・アプリケーションの概略図である。
【図４】図１及び２のシステムの一つの実現形態のための高レベル・プロセスの流れ図である。
【図５】グラフィックス・パイプ上で画面取り込みを行い、画面取り込みを別の面に描画することに関与する諸段階を例示する、図１及び２のシステムの一つの実現形態のためのプロセスの流れ図である。
【図６】グラフィックス・パイプにアクセスしてコンテンツ・モデルを構築する画面読み取り装置又はブレール式点字表示装置に関与する諸段階を例示する、図１及び２のシステムの一つの実現形態のためのプロセスの流れ図である。
【図７】グラフィックス・パイプにアクセスしてコンテンツ・モデルを構築する拡大器に関与する諸段階を例示する、図１及び２のシステムの一つの実現形態のためのプロセスの流れ図である。
【図１】
2009519542.tif 000003
【図２】
2009519542.tif 000004
【図３】
2009519542.tif 000005
【図４】
2009519542.tif 000006
【図５】
2009519542.tif 000007
【図６】
2009519542.tif 000008
【図７】
2009519542.tif 000009
【国際調査報告】
2009519542.tif 000010
2009519542.tif 000011